(57)【特許請求の範囲】
【請求項１】
洗濯機本体に弾性支持された外槽と、前記外槽内に回転可能に設けられた洗濯兼脱水槽と、前記洗濯兼脱水槽を回転させる駆動手段と、洗濯機本体の底部に前記外槽の振動を減衰させる減衰手段とを備え、前記減衰手段はシリンダと、前記シリンダ内を往復運動するピストンを有するロッドと、前記ピストンで仕切られた前記シリンダ内の複数の空間を連通する流路と、前記シリンダの両端部に前記ロッドを支持する軸受けとを備え、前記軸受けは前記シリンダの両端部で前記ロッドを摺動自在に支持し、前記軸受けの周囲に前記ロッドと軸受けの摩擦熱を放熱する放熱部を設け、前記ロッドの一方の端部は前記外槽の下部に揺動自在に取り付け、前記シリンダの端部は緩衝体を貫通して前記洗濯機本体の底部に揺動自在に取り付けた洗濯機。
【請求項２】
洗濯機本体に弾性支持された外槽と、前記外槽内に回転可能に設けられた洗濯兼脱水槽と、前記洗濯兼脱水槽を回転させる駆動手段と、洗濯機本体の底部に前記外槽の振動を減衰させる減衰手段とを備え、前記減衰手段はシリンダと、前記シリンダ内を往復運動するピストンを有するロッドと、前記ピストンで仕切られた前記シリンダ内の複数の空間を連通する流路と、前記シリンダの両端部に前記ロッドを支持する軸受けとを備え、前記軸受けは前記シリンダの両端部で前記ロッドを摺動自在に支持し、前記軸受けの周囲に前記ロッドと軸受けの摩擦熱を放熱する放熱部を設け、前記ロッドの一方の端部は前記洗濯機本体の底部に揺動自在に取り付け、前記シリンダの端部は緩衝体を貫通して前記外槽の下部に揺動自在に取り付けた洗濯機。
【請求項３】
放熱部は、放射状にフィンを設けた形状とした請求項１または２に記載の洗濯機。
【請求項４】
シリンダの端部が貫通する緩衝体は、放熱部との接触面積を増やす接触部を備え、前記接触部と放熱部を接触させた請求項１〜３に記載の洗濯機。
【請求項５】
シリンダの端部が貫通する緩衝体は、平面積がシリンダの断面積と同等以上の大きさにした請求項１〜４に記載の洗濯機。
【請求項６】
シリンダの端部が貫通する緩衝体は、前後方向の寸法が左右方向の寸法より大きくした請求項１〜５に記載の洗濯機。
【発明の詳細な説明】
【技術分野】
【０００１】
本発明は、洗濯機本体内に弾性的に支持した外槽内に回転自在に配設した洗濯兼脱水槽内で洗濯物の洗濯、すすぎ、脱水（更に乾燥まで行う場合もある）を行う洗濯機に関するものである。
【背景技術】
【０００２】
従来、この種の洗濯機は、シリンダとピストンで構成されるエアーまたはオイルダンパを備え、シリンダ内の空気またはオイルの流れを制御してピストンを動きにくくすることによって制動力を得ていた（例えば、特許文献１参照）。
【０００３】
図１０は、特許文献１に記載された従来の洗濯機の全体構成を示すものである。図１０に示すように、洗濯機本体１内にばね２によって吊り下げ支持された外槽３と、この外槽３内で回転するドラム４と、このドラム４を駆動させる手段５と、前記外槽３下部と洗濯機本体１との間に設けられたダンパ６とを備え、このダンパ６はシリンダ７とこのシリンダ７内を摺動するピストン８と、ピストン８と洗濯機本体１の底部を接続するピストンロッド９と、ピストンロッド９をシリンダ７の下端で摺動自在に支持する軸受け１０からなり、さらにこのシリンダ７はピストン８によって分割されるシリンダ７内を連通させるバイパス１１を有し、このバイパス１１には空気の流通を任意のタイミングで連通、遮断するバルブ１２を設けている。
【０００４】
洗濯、すすぎを終えて脱水を行なおうとするとき、衣類が前記ドラム４の下部に偏った状態でドラム４を回転させる。このとき衣類による偏心荷重のため外槽３が起動時に大きく振動するが、このときバイパス１１のバルブ１２は閉じてあり、ピストン８をシリンダ７内で上下させることによって発生する空気圧によってダンパ力を得、起動時の大きな振動を抑える。さらにドラム４が高速回転に入ると外槽３の振動は脱水とともに徐々に小さくなるので、バイパス１１のバルブ１２を開放しシリンダ７内の空気圧を発生させないようにする。これによって振動が設置床に直接伝わり、床を大きく振動させることがなくなり、騒音や家屋の振動を引き起こすことがなくなるというものであった。
【特許文献１】特開平５−８４３９０号公報
【発明の開示】
【発明が解決しようとする課題】
【０００５】
しかしながら、前記従来の構成では、外槽３の動きに応じてピストン８を往復運動させるピストンロッド９がシリンダ７の下端に設けた軸受け１０一箇所で支持されることになる。外槽３が上下方向に運動する場合は問題がないが、衣類の偏り状態によっては、外槽３が前後左右に揺れながら上下動する場合が生じる。この時、ピストンロッド９は軸受け１０を支点にして傾きながら軸受け１０内を摺動することになり、軸受け１０とピストンロッド９に摩擦力が発生し、ピストンロッド９のスムーズな摺動を阻害する。
【０００６】
また、ピストンロッド９と軸受け１０の摺動摩擦により周囲に熱が発生するため、経年すると軸受け１０が変形・劣化し、スムーズに摺動することができなくなる。
【０００７】
このようにピストンロッド９やピストン８が軸受け１０やシリンダ７内をスムーズに摺動できないと、外槽３の振動がそのまま洗濯機本体１の底部に伝わり本体の振動や騒音を発生させるという問題があった。
【０００８】
本発明は、前記従来の課題を解決するもので、外槽から床への振動伝達を無くし、振動や騒音を低減すると共に耐久性に優れた洗濯機を提供することを目的とする。
【課題を解決するための手段】
【０００９】
前記従来の課題を解決するために、本発明の洗濯機は、洗濯機本体に弾性支持された外槽と、前記外槽内に回転可能に設けられた洗濯兼脱水槽と、前記洗濯兼脱水槽を回転させる駆動手段と、洗濯機本体の底部に前記外槽の振動を減衰させる減衰手段とを備え、前記減衰手段はシリンダと、前記シリンダ内を往復運動するピストンを有するロッドと、前記ピストンで仕切られた前記シリンダ内の複数の空間を連通する流路と、前記シリンダの両端部に前記ロッドを支持する軸受けとを備え、前記軸受けは前記シリンダの両端部で前記ロッドを摺動自在に支持し、前記軸受けの周囲に前記ロッドと軸受けの摩擦熱を放熱する放熱部を設け、前記ロッドの一方の端部は前記外槽の下部に揺動自在に取り付け、前記シリンダの端部は緩衝体を貫通して前記洗濯機本体の底部に揺動自在に取り付ける構成としたものである。
【００１０】
これによって、衣類の偏り状態により外槽が前後左右に揺れながら上下動する場合でも、シリンダの両端に設けた二つの軸受けでロッドを支持することにより、横荷重を分散することができ、ロッドが傾きながら軸受け内を摺動することがなくなり、軸受けとロッドに発生する摩擦が少なく、スムーズに摺動することができ、外槽の振動がそのまま洗濯機外枠の底部に伝わらないので低振動と低騒音化を実現することができる。また、軸受けの周囲にロッドと軸受けの摩擦熱を放熱する放熱部を設けたことにより、軸受けの温度上昇が抑えられ、軸受けの変形や劣化を無くすことができる。
【発明の効果】
【００１１】
本発明の洗濯機は、洗濯機本体に減衰手段を設け、減衰手段のシリンダの両端に設けた二つの軸受けでロッドを支持することにより、どんな外槽の動きに対してもロッドの摺動をスムーズにし、外槽の振動がそのまま洗濯機本体の底部に伝わらないようにして低振動と低騒音化を実現することができる。また、軸受けの周囲にロッドと軸受けの摩擦熱を放熱する放熱部を設けたことにより、軸受けの温度上昇が抑えられ、軸受けの変形や劣化を無くすことができ、耐久性に優れた洗濯機を提供することができる。
【発明を実施するための最良の形態】
【００１２】
第１の発明は、洗濯機本体に弾性支持された外槽と、前記外槽内に回転可能に設けられた洗濯兼脱水槽と、前記洗濯兼脱水槽を回転させる駆動手段と、洗濯機本体の底部に前記外槽の振動を減衰させる減衰手段とを備え、前記減衰手段はシリンダと、前記シリンダ内を往復運動するピストンを有するロッドと、前記ピストンで仕切られた前記シリンダ内の複数の空間を連通する流路と、前記シリンダの両端部に前記ロッドを支持する軸受けとを備え、前記軸受けは前記シリンダの両端部で前記ロッドを摺動自在に支持し、前記軸受けの周囲に前記ロッドと軸受けの摩擦熱を放熱する放熱部を設け、前記ロッドの一方の端部は前記外槽の下部に揺動自在に取り付け、前記シリンダの端部は緩衝体を貫通して前記洗濯機本体の底部に揺動自在に取り付ける構成としたものである。
【００１３】
これによって、衣類の偏り状態により外槽が前後左右に揺れながら上下動する場合でも、シリンダの両端に設けた二つの軸受けでロッドを支持することにより、横荷重を分散することができ、ロッドが傾きながら軸受け内を摺動することがなくなり、軸受けとロッドに発生する摩擦が少なく、スムーズに摺動することができ、外槽の振動がそのまま洗濯機外枠の底部に伝わらないので低振動と低騒音化を実現することができる。また、軸受けの周囲にロッドと軸受けの摩擦熱を放熱する放熱部を設けたことにより、軸受けの温度上昇が抑えられ、軸受けの変形や劣化を無くすことができる。
【００１４】
第２の発明は、洗濯機本体に弾性支持された外槽と、前記外槽内に回転可能に設けられた洗濯兼脱水槽と、前記洗濯兼脱水槽を回転させる駆動手段と、洗濯機本体の底部に前記外槽の振動を減衰させる減衰手段とを備え、前記減衰手段はシリンダと、前記シリンダ内を往復運動するピストンを有するロッドと、前記ピストンで仕切られた前記シリンダ内の複数の空間を連通する流路と、前記シリンダの両端部に前記ロッドを支持する軸受けとを備え、前記軸受けは前記シリンダの両端部で前記ロッドを摺動自在に支持し、前記軸受けの周囲に前記ロッドと軸受けの摩擦熱を放熱する放熱部を設け、前記ロッドの一方の端部は前記洗濯機本体の底部に揺動自在に取り付け、前記シリンダの端部は緩衝体を貫通して前記外槽の下部に揺動自在に取り付ける構成としたものである。
【００１５】
これによって、衣類の偏り状態により外槽が前後左右に揺れながら上下動する場合でも、シリンダの両端に設けた二つの軸受けでロッドを支持することにより、横荷重を分散することができ、ロッドが傾きながら軸受け内を摺動することがなくなり、軸受けとロッドに発生する摩擦が少なく、スムーズに摺動することができ、外槽の振動がそのまま洗濯機外枠の底部に伝わらないので低振動と低騒音化を実現することができる。また、軸受けの周囲にロッドと軸受けの摺動熱を放熱する放熱部を設けたことにより、軸受けの温度上昇が抑えられ、軸受けの変形や劣化を無くすことができる。
【００１６】
第３の発明は、特に第１または第２の発明において、放熱部に放射状にフィンを設けた形状としたことにより、放熱面積が増え、効率良く摩擦熱を逃がすことができる。
【００１７】
第４の発明は、特に第１〜第３の発明において、シリンダの端部が貫通する緩衝体は、放熱部との接触面積を増やす接触部を備え、前記接触部と放熱部を接触させたことにより、更に効率良く軸受けの温度上昇が抑えられ、軸受けの変形や劣化を確実に無くすことができる。また、軸受けの熱を緩衝体が吸収することで緩衝体の温度が上昇し、緩衝体の硬度が低くなるので安定した緩衝性能を得ることもでき、特に気温が下がる冬場に顕著な緩衝効果を発揮する。
【００１８】
第５の発明は、特に第１〜第４の発明において、シリンダの端部が貫通する緩衝体は、平面積がシリンダの断面積と同等以上の大きさにしたことにより、外槽の揺動運動を確実に低減することができる。
【００１９】
第６の発明は、特に第１〜第５の発明において、シリンダの端部が貫通する緩衝体は、前後方向の寸法を左右方向の寸法より大きくしたことにより、振動や騒音が大きくなる外槽の前後方向の揺動運動を確実に低減することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における洗濯機の断面図を示すものである。図２は、本発明の第１の実施の形態における洗濯機の減衰手段の断面図を示すものである。
【００２２】
図１、図２において、洗濯機本体３０は、姿勢保持用の２本の引張りばね３１と、洗濯機本体の底部３０ａに設けた２本の弾性体３２により外槽３３を弾性支持している。洗濯兼脱水槽３４は、外槽３３内に回転自在に配設している。モータ（駆動手段）３５は、ブラシレス直流モータから成っており、インバータ制御され、回転速度が自在に変化されるようになっている。そして直接洗濯兼脱水槽３４を駆動する。給水手段３６は洗濯兼脱水槽３４内に給水するものである。水位検知手段３７は、外糟３３内の洗濯水位を検知する。排水手段３８は、外槽３３内の洗濯水を排水するものである。制御装置３９は、洗濯機本体３０の前面下部に設けられている。制御装置３９は、洗濯機本体３０の前面上部に設けられた操作表示手段４０により入力された設定内容に基づいて洗い、すすぎ、脱水の各工程を逐次制御するもので、パワースイッチング手段（図示せず）を介してモータ３５、給水手段３６、排水手段３８などを逐次制御する。
【００２３】
減衰手段４１は、シリンダ４１ａと、シリンダ４１ａ内を往復運動するピストン４１ｂを有するロッド４１ｃと、ピストン４１ｂで仕切られたシリンダ４１ａ内の複数の空間を連通する流路４１ｄと、シリンダ４１ａの両端部にロッド４１ｃを支持する軸受け４１ｅとを備えている。ロッド４１ｃの中程には、ピストン４１ｂが固定金具４１ｊと４１ｋにより固定されている。ピストン４１ｂの外周にはピストンリング４１ｇが取り付けられている。ピストンリング４１ｇは、低摩擦係数で耐磨耗性に優れた材質（例えばテフロン（登録商標））で形成されており、気密性を確保しながらシリンダ４１ａ内を滑らかに摺動する。軸受け４１ｅはシリンダ４１ａの両端部でロッド４１ｃを摺動自在に支持し、軸受け４１ｅの周囲にロッド４１ｃと軸受け４１ｅの摩擦熱を放熱する放熱部４１ｆを設けている。ロッド４１ｃの一端にはオスねじを有するロッド取り付け部４１ｈが設けられており、外槽３３の下部に設けたロッド取り付け台４３にゴム製の緩衝体４２を介して取り付け後、ナット４４により揺動自在に取り付けられている。ロッド取り付け台４３は、外槽３３を下方から支えるように外槽３３の底部に固定されている。シリンダ４１ａの端部にはオスねじを有するシリンダ取り付け部４１ｉが設けられており、緩衝体４２を貫通して洗濯機本体の底部３０ａに設けたシリンダ取り付け台４５に取り付け後、ナット４６により揺動自在に取り付けられている。シリンダ４１ａ、軸受け４１ｅは金属製であるが、強度、耐久性を確保することができれば生産性やコストパフォーマンスに優れた樹脂製でもよい。緩衝体４２には、低反発で高減衰性を有するブチル系のゴムが使用されている。
【００２４】
以上のように構成された洗濯機について、以下動作、作用を説明する。まず、洗濯兼脱水槽３４内に衣類と洗剤を投入後、操作表示手段４０を操作して運転を開始する。これによって、給水手段３６が動作し、洗濯兼脱水槽３４内に洗濯水が供給されると共に洗濯兼脱水槽３４も回転を開始する。規定量の洗濯水が供給されると給水手段３６は給水を停止する。洗濯兼脱水槽３４の回転によって、洗剤は洗濯水に溶かされ、洗濯液となって衣類に浸透する。洗濯兼脱水槽３４は、３０ｒ／ｍｉｎ程度の低速で回転して、衣類を持ち上げては落とすというたたき洗いを規定時間行う。洗濯終了後、排水手段３８が作動し、汚れを溶かし込んだ洗濯水は、外槽３３の外に排水される。排水終了後、洗濯兼脱水槽３４の回転は徐々に速くなり脱水工程に入る。
【００２５】
脱水起動時、洗濯兼脱水槽３４の回転数が２５０から３００ｒ／ｍｉｎの間は、洗濯物の偏り状態によって外槽３３が前後左右に揺れながら大きく上下動する場合がある。この時、外槽３３の上下方向の振動エネルギーは、減衰手段４１のシリンダ４１ａの上端と外槽３３の下部の間に設けられた弾性体３２により吸収される。なお、本実施の形態では弾性体３２を減衰手段４１に設けているが、弾性体３２を外槽下部と洗濯機底部と間で別の位置に設ける場合であっても同様の効果を得られる。また、外槽３３の上下動によるピストン４１ｂの移動によりシリンダ４１ａの空気は流路４１ｄを通ってピストン４１ｂに仕切られた反対側の空間に流れる。流路４１ｄには、開口面積の調整で適度な流路抵抗が設定されており、ピストン４１ｂの移動が抑制される。これが減衰力となって外槽３３の大きな上下動を抑制している。
【００２６】
洗濯兼脱水槽３４の回転数が上昇して定常回転になると、外槽３３の振動は小さくなるが、弾性体３２や減衰手段４１を伝わって洗濯機本体３０を振動させることになる。しかしながら、シリンダ４１ａの両端に設けた二つの軸受け４１ｅでロッド４１ｃを支持することにより、ピストン４１ｂやロッド４１ｃが傾きながらシリンダ４１ａや軸受け４１ｅ内を摺動することがないので、シリンダ４１ａとピストン４１ｂならびにロッド４１ｃと軸受け４１ｅとの間に発生する摩擦が少なく、スムーズに摺動することができるので、外槽３３の振動がそのまま洗濯機本体の底部３０ａに伝わらないので低振動と低騒音化を実現することができる。ロッド４１ｃと軸受け４１ｅとの間に発生する摩擦熱は軸受け４１ｅの周りに設けた放熱部４１ｆから放熱され、軸受け４１ｅの温度上昇を抑えることができる。
【００２７】
以上のように本実施の形態においては、ロッド４１ｃをシリンダ４１ａの両端に設けた軸受け４１ｅで支持したことにより、外槽３３の多様な動きに対してもロッド４１ｃの摺動がスムーズになり、外槽３３の振動が直接洗濯機本体の底部３０ａに伝わらなくなるので、低振動と低騒音化を実現することができる。減衰手段４１の作動流体を空気としているため、オイルダンパと比較して摺動部の密着が弱いので摺動部の磨耗が少なく、耐久性も向上させることができる。また、オイル漏れを考慮する必要がなく、シール部品が必要ないので構成部品を少なくすることができる。更に、軸受け４１ｅの温度上昇を抑えて経年劣化を少なくし、ロッド４１ｃと軸受け４１ｅとの間でスムーズな摺動を維持できるので信頼性も向上することができる。
【００２８】
（実施の形態２）
図３は、本発明の第２の実施の形態における洗濯機の断面図を示すものである。図４は、本発明の第２の実施の形態における洗濯機の減衰手段の断面図を示すものである。
【００２９】
図３、図４において、洗濯機本体３０は、姿勢保持用の２本の引張りばね３１と、洗濯機本体の底部３０ａに設けた２本の弾性体３２により外槽３３を弾性支持している。洗濯兼脱水槽３４は、外槽３３内に回転自在に配設している。モータ（駆動手段）３５は、ブラシレス直流モータから成っており、インバータ制御され、回転速度が自在に変化されるようになっている。そして直接洗濯兼脱水槽３４を駆動する。給水手段３６は洗濯兼脱水槽３４内に給水するものである。水位検知手段３７は、外糟３３内の洗濯水位を検知する。排水手段３８は、外槽３３内の洗濯水を排水するものである。制御装置３９は、洗濯機本体３０の前面下部に設けられている。制御装置３９は、洗濯機本体３０の前面上部に設けられた操作表示手段４０により入力された設定内容に基づいて洗い、すすぎ、脱水の各工程を逐次制御するもので、パワースイッチング手段（図示せず）を介してモータ３５、給水手段３６、排水手段３８などを逐次制御する。
【００３０】
減衰手段４１は、シリンダ４１ａと、シリンダ４１ａ内を往復運動するピストン４１ｂを有するロッド４１ｃと、ピストン４１ｂで仕切られたシリンダ４１ａ内の複数の空間を連通する流路４１ｄと、シリンダ４１ａの両端部にロッド４１ｃを支持する軸受け４１ｅとを備えている。ロッド４１ｃの中程には、ピストン４１ｂが固定金具４１ｊと４１ｋにより固定されている。ピストン４１ｂの外周にはピストンリング４１ｇが取り付けられている。ピストンリング４１ｇは、低摩擦係数で耐磨耗性に優れた材質（例えばテフロン（登録商標））で形成されており、気密性を確保しながらシリンダ４１ａ内を滑らかに摺動する。軸受け４１ｅはシリンダ４１ａの両端部でロッド４１ｃを摺動自在に支持し、軸受け４１ｅの周囲にロッド４１ｃと軸受け４１ｅの摩擦熱を放熱する放熱部４１ｆを設けている。ロッド４１ｃの一端にはオスねじを有するロッド取り付け部４１ｈが設けられており、洗濯機本体の底部３０ａに設けたロッド取り付け台４３にゴム製の緩衝体４２を介して取り付け後、ナット４４により揺動自在に取り付けられている。ロッド取り付け台４３は、洗濯機本体の底部３０ａに固定されている。シリンダ４１ａの端部にはオスねじを有するシリンダ取り付け部４１ｉが設けられており、緩衝体４２を貫通して外槽３３の下部に設けたシリンダ取り付け台４５に取り付け後、ナット４６により揺動自在に取り付けられている。シリンダ４１ａ、軸受け４１ｅは金属製であるが、強度、耐久性を確保することができれば生産性やコストパフォーマンスに優れた樹脂製でもよい。
【００３１】
以上のように構成された洗濯機について、以下動作、作用を説明する。まず、洗濯兼脱水槽３４内に衣類と洗剤を投入後、操作表示手段４０を操作して運転を開始する。これによって、給水手段３６が動作し、洗濯兼脱水槽３４内に洗濯水が供給されると共に洗濯兼脱水槽３４も回転を開始する。規定量の洗濯水が供給されると給水手段３６は給水を停止する。洗濯兼脱水槽３４の回転によって、洗剤は洗濯水に溶かされ、洗濯液となって衣類に浸透する。洗濯兼脱水槽３４は、３０ｒ／ｍｉｎ程度の低速で回転して、衣類を持ち上げては落とすというたたき洗いを規定時間行う。洗濯終了後、排水手段３８が作動し、汚れを溶かし込んだ洗濯水は、外槽３３の外に排水される。排水終了後、洗濯兼脱水槽３４の回転は徐々に速くなり脱水工程に入る。
【００３２】
脱水起動時、洗濯兼脱水槽３４の回転数が２５０から３００ｒ／ｍｉｎの間は、洗濯物の偏り状態によって外槽３３が前後左右に揺れながら大きく上下動する場合がある。この時、外槽３３の上下方向の振動エネルギーは、減衰手段４１のシリンダ４１ａの下端と洗濯機本体の底部３０ａの間に設けられた弾性体３２により吸収される。なお、本実施の形態では弾性体３２を減衰手段４１に設けているが、弾性体３２を外槽下部と洗濯機底部の間で別の位置に設ける場合であっても同様の効果を得られる。また、外槽３３の上下動によるピストン４１ｂの移動によりシリンダ４１ａの空気は流路４１ｄを通ってピストン４１ｂに仕切られた反対側の空間に流れる。流路４１ｄには、開口面積の調整で適度な流路抵抗が設定されており、ピストン４１ｂの移動が抑制される。これが減衰力となって外槽３３の大きな上下動を抑制している。
【００３３】
洗濯兼脱水槽３４の回転数が上昇して定常回転になると、外槽３３の振動は小さくなるが、弾性体３２や減衰手段４１を伝わって洗濯機本体３０を振動させることになる。しかしながら、シリンダ４１ａの両端に設けた二つの軸受け４１ｅでロッド４１ｃを支持することにより、ピストン４１ｂやロッド４１ｃが傾きながらシリンダ４１ａや軸受け４１ｅ内を摺動することがないので、シリンダ４１ａとピストン４１ｂならびにロッド４１ｃと軸受け４１ｅとの間に発生する摩擦が少なく、スムーズに摺動することができるので、外槽３３の振動がそのまま洗濯機本体の底部３０ａに伝わらないので低振動と低騒音化を実現することができる。ロッド４１ｃと軸受け４１ｅとの間に発生する摩擦熱は軸受け４１ｅの周りに設けた放熱部４１ｆから放熱され、軸受け４１ｅの温度上昇を抑えることができる。
【００３４】
以上のように本実施の形態においては、ロッド４１ｃをシリンダ４１ａの両端に設けた軸受け４１ｅで支持したことにより、外槽３３の多様な動きに対してもロッド４１ｃの摺動がスムーズになり、外槽３３の振動が直接洗濯機本体の底部３０ａに伝わらなくなるので、低振動と低騒音化を実現することができる。また、シリンダ４１ａへのロッド４１ｃの挿入部が、シリンダ４１ａの上端では、外槽３３に覆われ、下端は下向きに位置するので粉塵等の異物が侵入することがなく、信頼性も向上することができる。
【００３５】
（実施の形態３）
図５は、本発明の第３の実施の形態における洗濯機の減衰手段の斜視図を示すものである。図５において、放熱部４１ｆは、放射状のフィン４７を設けた形状としたものである。その他の構成は実施の形態１と同様である。これにより、放熱面積が増え、効率良く軸受け４１ｅの摩擦熱を逃がすことができ、信頼性を更に向上することができる。
【００３６】
（実施の形態４）
図６は、本発明の第４の実施の形態における洗濯機の減衰手段の斜視図を示すものである。図６において、シリンダ４１ａの端部が貫通する緩衝体４２は、放熱部４１ｆとの接触面積を増やす接触部４２ａを設けている。その他の構成は実施の形態１と同様である。放熱部４１ｆと接触部４２ａを接触させたことにより、更に効率良く軸受け４１ｅの温度上昇が抑えられ、軸受け４１ｅの変形や劣化を確実に無くすことができる。また、軸受け４１ｅの熱を緩衝体４２が吸収することで緩衝体４２の温度が上昇し、硬度が低くなるので安定した緩衝性能を得ることもできる。特に、気温が下がる冬場に顕著な緩衝効果を発揮する。
【００３７】
（実施の形態５）
図７は、本発明の第５の実施の形態における洗濯機の減衰手段の断面図を示すものである。図７において、シリンダ４１ａの端部が貫通する緩衝体４２の平面積４２ｓは、シリンダ４１ａの断面積４１ｓと同等以上の大きさにしたものである。その他の構成は実施の形態１と同様である。これにより、外槽３３の揺動運動によるシリンダ４１ａの傾きを確実に抑えることができ、外槽３３の揺動運動を低減することができる。
【００３８】
（実施の形態６）
図８は、本発明の第６の実施の形態における洗濯機の緩衝体の平面図を示すものである。
【００３９】
図９は、本発明の第６の実施の形態における洗濯機の要部の断面図を示すものである。図８、図９において、シリンダ４１ａの端部が貫通する緩衝体４２は、前後方向の寸法４２ｆが左右方向の寸法４２ｒより大きくしたものである。その他の構成は実施の形態１と同様である。
【００４０】
これにより、洗濯兼脱水槽を前上がりに傾けた場合などは、洗濯物が洗濯兼脱水槽３４の後方に偏りやすく、脱水起動時に前後方向の振動が特に大きくなるため、外槽３３の前後方向の揺動運動を緩衝体４２の前後方向の体積を大きくすることで確実に吸収すると共に、脱水定常時には、外槽３３が前後左右に小刻みに振動しやすくなり、緩衝体４２の左右方向の体積を前後方向よりも小さくして特に左右方向の揺れを洗濯機本体３０に伝達されにくくし、洗濯機本体３０の振動と騒音を小さくすることができる。
【産業上の利用可能性】
【００４１】
以上のように、本発明に関わる洗濯機は、減衰手段の摺動をスムーズにできるので、洗濯機以外の回転機械の防振にも応用可能である。
【図面の簡単な説明】
【００４２】
【図１】本発明の実施の形態１における洗濯機の断面図
【図２】本発明の実施の形態１における洗濯機の減衰手段の断面図
【図３】本発明の実施の形態２における洗濯機の断面図
【図４】本発明の実施の形態２における洗濯機の減衰手段の断面図
【図５】本発明の実施の形態３における洗濯機の減衰手段の斜視図
【図６】本発明の実施の形態４における洗濯機の減衰手段の斜視図
【図７】本発明の実施の形態５における洗濯機の減衰手段の断面図
【図８】本発明の実施の形態６における洗濯機の緩衝体の平面図
【図９】本発明の実施の形態６における洗濯機の減衰手段の断面図
【図１０】従来の洗濯機の断面図
【符号の説明】
【００４３】
３０  洗濯機本体
３０ａ  洗濯機本体の底部
３３  外槽
３４  洗濯兼脱水槽
３５  駆動手段
４１  減衰手段
４１ａ  シリンダ
４１ｂ  ピストン
４１ｃ  ロッド
４１ｄ  流路
４１ｅ  軸受け
４１ｆ  放熱部
４１ｓ  シリンダの断面積
４２  緩衝体
４２ａ  接触部
４２ｆ  前後方向の寸法
４２ｒ  左右方向の寸法
４２ｓ  平面積
４７  フィン
【図１】
0004930291.tif 000002
【図２】
0004930291.tif 000003
【図３】
0004930291.tif 000004
【図４】
0004930291.tif 000005
【図５】
0004930291.tif 000006
【図６】
0004930291.tif 000007
【図７】
0004930291.tif 000008
【図８】
0004930291.tif 000009
【図９】
0004930291.tif 000010
【図１０】
0004930291.tif 000011